Podtech/llm-jp-corpus-v4-ja_patent huggingface dataset:
(57)【要約】  【課題】  溝の存在により充填材の周側面は凹凸状となって浄化槽内に充填したときの各充填材は互いに密接しにくく、菌体との接触効率を高めることができ、内表面（内腔部）のみならず外表面（周側）も菌体が付着し易く、剥がれ難い、従って、ろ過機能上、優れた生物ろ過用充填材を提供する。  【解決手段】  粒子状の軽石を適量配合した煉瓦用粘土を焼成して成る中空筒状主体１を備え、該中空筒状主体１の周側に、両端開放の溝２，…を、周方向に列設した構成とする。【選択図】    図４
2012213734.tif 000002
【特許請求の範囲】
【請求項１】
粘土を焼成して成る中空筒状主体を備え、該中空筒状主体の周側に、両端開放の溝を、周方向に列設した、生物ろ過用充填材。
【請求項２】
粒子状の軽石を配合した煉瓦用粘土で構成した、請求項１記載の生物ろ過用充填材。
【発明の詳細な説明】
【技術分野】
【０００１】
本発明は、一般家庭から生活排水や産業排水（有機物系）を生物学的に処理する汚水浄化槽（リアクター）の充填材に関するものである。
【背景技術】
【０００２】
合成樹脂やセラミックスで構成した筒状主体で成り、該筒状主体の内腔部（貫通孔部）を、ガス抜け性や液の拡散性を図り、充填材の内外から微生物の効率的な侵入を図るようにした構造のものがある（例えば、特許文献１、２）。
【先行技術文献】
【特許文献】
【０００３】
【特許文献１】特開平６−２７７０５９号公報
【特許文献２】特公平２−４２４７３号公報
【発明の概要】
【発明が解決しようとする課題】
【０００４】
前記従来例は、内腔部を設けて他の充填材と接触しない個所を設けることにより、菌体を付着し易くした点において単なる塊で成るものと較べ充填材としての機能上優れてはいるが、周側（外表面）は特別な工夫を施していないので、他の充填材と接触して菌体の付着が難しく、充填材として必ずしも満足のいくものではない。
【０００５】
本発明は、斯様な従来例の欠点に着目して創案したもので、生物ろ過を効率的に行うことのできる生物ろ過用充填材を提供することを目的として創案したものである。
【課題を解決するための手段】
【０００６】
煉瓦用粘土を焼成して成る中空筒状主体を備え、該中空筒状主体の周側に、両端開放の溝を、周方向に列設した構成としたものである。
【発明の効果】
【０００７】
本発明によれば、周側に溝を設けてあるから、該溝の存在により充填材の周側面は凹凸状となって浄化槽内に充填したときの各充填材は互いに密接しにくく、菌体との接触効率を高めることができ、内表面（内腔部）のみならず外表面（周側）も菌体が付着し易く、剥がれ難い、従って、ろ過機能上、優れた生物ろ過用充填材を提供できる。しかも、煉瓦用粘土を主要材とし、これを焼成するだけで製品とすることができるから経済的である。
【図面の簡単な説明】
【０００８】
【図１】正面図。
【図２】平面図。
【図３】側面図。
【図４】一部欠截正面図。
【図５】使用状態の斜視図。
【発明を実施するための形態】
【０００９】
図面は、本発明に係る生物ろ過用充填材の一実施形態を示し、実施形態の生物ろ過用充填材Ａは、粒子状の軽石を適量配合（軽石の配合を省略しても良い）した煉瓦用粘土を押出し成形機によって押出し形成した長尺物を適宜の長さに切断して粘土体を得、該粘土体を焼成して製品としたもので、中空筒状（竹輪状）主体１の周側に、両端開放の、すなわち、主体１の長さ（長手）方向の両端に連続する溝２，２…を周方向に列設して構成したものである。
【００１０】
また、生物ろ過用充填材Ａの主体１は、長手方向の両端面を互いに平行する（平行していなくとも良い）傾斜面１ａ，１ａを備え、該傾斜面１ａの存在により、浄化槽などに充填したときの隣接する他の充填材の中空筒状主体１との接触率を低減し、隣接する充填材間で、できるだけ隙間が生じるようにしてある。主体１の内腔部１ｂ（内表面部を構成する）の開口端は、この傾斜面１ａを開けた態様で成るので、常に開放された状態に置かれ、水やエアーの該内腔部１ｂの通過が円滑に行われ、該内腔部１ｂ等に付着した菌体によるろ過操作がより効率的に行われる。
【００１１】
さらに、主体１の周方向に並べてほぼ等間隔を存し４条の突条部１ｃ，１ｃ，１ｃ，１ｃを設けたのは、前記傾斜面１ａと同様に隣接する他の充填材Ａの主体１との接触率をできるだけ少なくして、各充填材Ａの、例えば、浄化槽内の水やエアーなどとの接触効率を図るためである。
【００１２】
なお、軽石を粒子状にしたものを粘土と混ぜて充填材Ａの素材としたのは、中空状主体１の内外の表面が粗面となって被処理水の接触面積を増やし、ろ過（処理）効率を上げるためである。
【００１３】
また、外径×内径×長さを、３０ｍｍ×１５ｍｍ×２０乃至３０ｍｍとし、傾斜面１８〜２０度の角度にした製品を得たが、各部の大きさは自由に選択すれば良い。
【符号の説明】
【００１４】
１      中空筒状主体
２      溝
【図１】
2012213734.tif 000003
【図２】
2012213734.tif 000004
【図３】
2012213734.tif 000005
【図４】
2012213734.tif 000006
【図５】
2012213734.tif 000007
(57)【要約】      （修正有）【課題】市販されている各種の漢字ドリルや漢字検定試験、あるいは他の漢字関係の問題集からでは、漢字離れの昨今、ブームの時期であっても解決できない漢字に関する問題を、気軽なゲームを通して、楽しみながら覚え、知識として吸収していく方法を発見しながら競技する漢字熟語ゲームを提供する。【解決手段】麻雀牌と同じ素材、器具を使い、牌の白い部分に漢字一字を刻印し、麻雀と同じ方法で競技を進め、手持ちの牌から熟語を発見し、場に提示してゆき、最後になった牌を操作した後、既に提示されている熟語の組み合わせや提示熟語の数によって順位を決める。【選択図】図１
2012213579.tif 000002
【特許請求の範囲】
【請求項１】
直方体の六面のうちの白い面に、漢字１字を刻印し、麻雀を行なう方法でゲームを進め、２個又は３個、あるいは４個や４個以上の牌の組み合わせによる言語として完成された熟語を数組提示して勝敗を決める漢字熟語ゲーム。
【請求項２】
請求項１の遊戯具の素材を、カードの形に変形させて、ババ抜きやポーカー、神経衰弱の方法などトランプゲームと同様の方法で遊戯を楽しむ漢字熟語ゲーム。
【発明の詳細な説明】
【技術分野】
【０００１】  本発明は漢字熟語ゲームに関するものである。
【背景技術】
【０００２】  従来、漢字を学習するという基本的な出発は、学校教育の場面で国語という学科からであり、それは日本語を使用することになる唯一の学習手段といえる。そして長じるに従って新聞や書物など多くの機会から知識として吸収していき、また個人的に学び研究する意欲によってその知識はさらに増加してゆく。【０００３】  しかし現代では、学校教育においても社会一般においても、長い間漢字離れという現象によって、漢字への興味や探求心が薄れ、大きな社会問題として取り上げられる事象が多くなった。そんな中、民間企業や公認検定試験などの形で漢字回帰が出現し、漢字博士や百マス漢字など漢字に関するテストやドリルなどが多量に発刊されて、利用者の関心や好奇心をあおってきた。しかし漢字に対する啓発は低く、識字率の高いはずの日本において、なお憂慮する現象もなくならない。それがたとえ漢字ブームの昨今だとしても、その状態が長期に亘るという予想も立てにくく、単なるブームとして終わる一過性の問題としての疑問も残る。また類似品のゲームも考えられず、本発明の存在意義は大である。
【発明の開示】
【発明が解決しようとする課題】
【０００４】  漢字博士となる検定試験では、その問題や内容が高度で一般日常ではほとんど使用される場がなく、難解で実用的な価値は少ない。そして合格点を取得したとしても、単なる知識の披瀝としての結果であって、結局は自負心で終始することも多い。また市販されている漢字ドリルでは、主に学生や生徒向けに編纂されており、就学者以外では興味を示す大人が時折購入する程度である。
それらの漢字問題は印刷された冊子として発刊されており、ただ読み解いて漢字を記入していく方法で、その書き込みが最終ページまで終えてしまえば、その経験は貴重なものだが、いずれ忘却のかなたに置き去られる結果になりかねない。つまりそれらの問題集は一度限りの学習で、二度目は無しという既製の概念で終わってしまう。
【課題を解決するための手段】
【０００５】  本発明は、昨今の漢字ブームにしても検定試験にしても、漢字ドリルにしても、あるいは他のどんな種類の問題形式があったとしても解決できない漢字の学習をゲームの形にして表現したものである。本発明の学習方法は、ゲームをしながら楽しみを通して漢字の知識を増し、さらに自分の脳力を駆使して活性化させていく漢字熟語ゲームという形の競技である。このゲームが面白いのは、漢字の熟語としての組み合わせは無限にあるので、一度限りのゲームで終わらず、何回でも繰り返して行えることが利点であり特徴でもある。【０００６】  本発明の漢字熟語ゲームの進行方向は、麻雀牌と同じ形状、同じ素材の器具を使用して競技を楽しむ方法である。従ってその出発は麻雀のし方と同じ形で始まる。競技は各自が十数個の裏返えしされた牌を手持ちとする。次に手持ちの牌の中から熟語として正しい数個の牌を発見したら該当する組み合せの熟語を何組でも自分の場の前に提示する。それからゲームを始め、場の中央に裏返しになった牌を順番に１個ずつ取り手持ちの牌と見比べ、熟語となる漢字があれば場に提示。なければ手持ちとする。そうやって最後の１個まで競技する。得点は、２個組（機智、絶対など）は２点、３個組（有頂天、熱中症など）で３点、４個組（一石二鳥、起承転結など）で５点、５個組以上で１０点と無限に表現でき、点数もとれる。また、熟語として正確でない組の提示は、マイナス３点とする。手持ちの牌の個数は、参加者の人数で多少の変化を自由にして流動的にする。つまり、４人でゲームする場合は手持ちを１５個、多人数を一つのサークルでゲームをする場合は、一人分の手持ちを８個などとする。この一人分の手持ちの個数は、その場の参加人数で決定してもよい。
【発明の効果】
【０００７】  本発明は、そうしたゲームの構造をしているので、参加する人数も年令も制限はない。２人から１０人程度のグループでも良く、４人ぐらいの数組に分けて勝ち抜きゲームにしてもよい。そして各自の手持ちの個数も、各組で決定でき、任意の個数でゲームができる。それで早い時間で終わったり、競技を長引かせることも自由とする。ゲーム中でも、提示した熟語を楽しんだり、驚いたり、感心したり、褒めたりしてゲームを進めていく。漢字の表現は無限に存在するので、面白味も無限に増加していくのが、この漢字熟語ゲームの特徴である。なお、牌に刻印する漢字の数に制限はなく、主に当用漢字の使用が良い。
【発明を実施するための最良の形態】
【０００８】  以下、本発明の実施の形態を説明する。
（イ）場の中央に乱雑に積まれた牌を上下二段にして裏返しに並べ整頓する。
（ロ）サイコロで順番を決め、手持ちの牌の個数を任意に決めて２個取って自分の手持ち牌とする。
（ハ）手持ちの中で熟語として成立する組があればその組み合わせをすべて自分の場に提示する。尚、熟語として判断し提示した組はそのまま表にして置く。
（ニ）順に中央の牌を１個ずつ取っていき、手持ちの漢字と熟語として成立する語があれば組みとして場に提示。なければ手持ちとする。
（ホ）ゲーム途中での上がりはなく、最後の１個まで競技する。早く手持ちがなくなった時点で終了し、提示された熟語の組から点数を数え順位を決める。
（ヘ）新しいルールを発見した時、すべて承認し、ゲームのルールとして加える。
本発明の漢字熟語ゲームの競技方法は上記の通りである。
【図面の簡単な説明】
【図１】２字組による熟語例。
【図２】３字組による熟語例。
【図３】４字組による熟語例。
【図４】５字組による熟語例。
【図１】
2012213579.tif 000003
【図２】
2012213579.tif 000004
【図３】
2012213579.tif 000005
【図４】
2012213579.tif 000006
(57)【要約】      （修正有）【課題】多数穴に刃のある、おろし板を動かす、おろし器を提供する。【解決手段】斜めの半円等に食材１を輪切りにして、片手で押しこみながら器５を固定して、もう一方の手で食材１に直角に設けた多数穴に刃のある、おろし板４を前後にレール溝に従い滑らしながら移動をさせる。こうすることで多数穴に刃や又は突き抜けたおろし板４で下の器に食材１がすりおろされて落ちる。これで無理な力はいらず、かいだるくなることもなく手の危険も無くなる。また、食材１を順次入れることで最後まですりおろされる。【選択図】図５
2012213577.tif 000002
【特許請求の範囲】
【請求項１】
斜めに下がる半円等に入れた、おろす食材を片手で下に押しながら器を押えて、もう一方の手で直角に設けた多数穴の刃のある、おろし板、又はすりおろし板で、その板の向こう側に抜ける空間のある刃で、このおろし板を前後レール溝に従い移動させると、下の器にすりおろされた食材が溜まる、おろし板を動かす、おろし器。
【発明の詳細な説明】
【技術分野】
【０００１】  本発明は、すりおろす食材は動かさないで、すりおろされた食材が、おろし板の向こう側に落ちる多数穴に刃のある、おろし板をレール溝に従い手で移動させて、おろしの出来る、おろし器に関するものである。
【背景技術】
【０００２】  例えば、大根をすりおろす時は大根を手で持って前後に動かし、おろし板は固定のままで器にすりおろすものであったが、これには力がいり手がかいだるくなるものであった。これには手に危険もあり、なお、最後まですりおろすことは出来なかった。
【発明の概要】
【発明が解決しょうとする課題】
【０００３】  大半はおろす食材を手でしっかりと持って、その食材を前後に動かすことで、おろし器にすりおろしていたが、これでは力がいり手も危険でかいだるくなった。食材も最後までおろせず無駄になる。そこで真上から食材を固定させて押えると、おろし板は動かない。また、カバー付きの手で回して、おろし板を回転させるものもあるが、大きくてたまに使う、おろし作業では一般家庭には不向きであった。
本発明は、以上の問題点を解決するためになされたものである。
【課題を解決するための手段】
【０００４】  片手ですりおろす大根や芋類、野菜、果物などを斜めの半円等に入れ下に押し出しながら器を固定する。もう一方の手で多数穴の刃のある、おろし板をレール溝に添わせて動かす。これには大根や芋類など、すりおろす食材を斜めにすることで、それに直角にすりおろし板をかみ合わせて動かすと、軽くおろすことができる。
以上の構成によりなる多数穴に刃のある、おろし板を動かす、おろし器。
【０００５】  長い食材は適度に輪切りにして、順次に押すことで食材の無駄もなくなり、手の危険もなくなる。これには半円等のテコ穴を利用してもよい。使用後の手入れも簡単に洗える。右利きも左利きも使えるようにした。
以上の構成によりなる多数穴に刃のある、おろし板を動かす、おろし器。
【発明の効果】
【０００６】  これで、大根おろしや、自然薯のおろし、食材をすりおろすことに力がいらずに、手もかいだるくならないし危険性も少なくした。使用後の手入れも簡単で、また、順次に食材を押し出すことで無駄もなくなる。本発明は、すりおろしが楽に出来て家庭の台所の必需品になる。
【図面の簡単な説明】
【０００７】
【図１】本発明の平面図
【図２】本発明の横断面図
【図３】本発明の縦断面図
【図４】本発明の右側立面図
【図５】本発明の使用状態を示す左側斜視図
【図６】本発明の使用状態を示す右側斜視図
【発明を実施するための形態】
【０００８】  以下、本発明の実施の形態を説明する。
（イ）適当に輪切りにしたおろす食材（１）を斜めの半円等（２）に入れて、これに直      角におろし板の向こうに落ちる多数穴の刃のある、すりおろし板（４）を設ける。
（ロ）手では食材（１）を斜め下に押しながら器（５）を固定し、多数穴の刃のある、      おろし板（４）をもう一方の手で前後レール溝（３）に従い移動させる。
（ハ）こうすることで、おろす食材（１）はすりおろされて下の器（５）に溜まる。
本発明は以上のような構造である。
本発明を使用するときは、おろす食材（１）輪切りにして、斜め半円等（２）に、もし入らなければ切って食材（１）を入れる。これを下部に押しながら器（５）を手で固定させて、もう一方の手で多数穴の刃のある、おろし板（４）をレール溝（３）に従い移動させる。こうして多数穴の刃のある、おろし板（４）から下の器（５）におろされた食材（１）が溜まる。更に、半円等のテコ穴（６）に古箸などを入れて利用すれば食材の無駄も手の危険も避けられる。
【符号の説明】
【０００８】１、おろす食材
２、斜め半円等
３、レール溝
４、多数穴の刃のあるおろし板
５、器
６、半円等テコ穴
【図１】
2012213577.tif 000003
【図２】
2012213577.tif 000004
【図３】
2012213577.tif 000005
【図４】
2012213577.tif 000006
【図５】
2012213577.tif 000007
【図６】
2012213577.tif 000008
【手続補正書】
【提出日】平成23年7月11日(2011.7.11)
【手続補正１】
【補正対象書類名】図面
【補正対象項目名】図１
【補正方法】変更
【補正の内容】
【図１】
2012213577.tif 000009
【手続補正２】
【補正対象書類名】図面
【補正対象項目名】図２
【補正方法】変更
【補正の内容】
【図２】
2012213577.tif 000010
(57)【要約】【課題】従来、菜園用の鉢やプランターは上面全開放型の非連続体の単体を成し、根を横方向よりも下方に向かわせるため相対的に深底となり、構造上、培地上部は乾燥しやすく、下部は固化しやすく通気も悪く、保湿性、通気性の維持や管理に手間やコストがかかる。本発明は、概ね閉鎖型にして根を横方向に延ばすことにより浅型で、培地が乾燥しにくく、転倒しにくく、比較的軽量で管理し易すい連続するトンネル穴状の根道を備えた菜園用栽培容器を提供する。【解決手段】枠を成し、且つ内部に連続するトンネル穴状の根道（２）を有するようにした筒状部材（１）に、根道（２）と繋がって植え込み穴（３）を設けた連続するトンネル穴状の根道を備えた菜園用栽培容器を特徴とする。【選択図】図４
2012213374.tif 000002
【特許請求の範囲】
【請求項１】
枠を成し、且つ内部に連続するトンネル穴状の根道（２）を有するようにした筒状部材（１）に、根道（３）と繋がって植え込み部（４）を設けた連続するトンネル穴状の根道を備えた菜園用栽培容器。
【発明の詳細な説明】
【技術分野】
【０００１】  本発明は連続するトンネル穴状の根道を備えた菜園用栽培容器に関するものである。
【背景技術】
【０００２】  従来、植木鉢やプランター等の栽培容器は上面全開放型で、非連続体の単体容器構造を成し、形状や形態は根を横方向ではなく下方に延ばすことを前提としているため相対的に深底の容器になっている。
【発明の開示】
【発明が解決しようとする課題】
【０００３】  従来の場合、用土の出し入れには便利でも、培地の上部は乾燥しやすく、深底となる構造上、内部は空気が流れにくく、培地下部は固化して根が張りにくくなり、培地の保湿や通気の維持、改善には手間も費用もかかる。鉢やプランターを並べただけの菜園では個別の管理は容易ではなく、本発明は、根を横に延ばすことにより浅底で、内部が乾燥しにくく、通気性がよく、転倒しにくく、比較的軽量で管理し易い連続するトンネル穴状の根道を備えた菜園用栽培容器を提供する。
【課題を解決するための手段】
【０００４】  枠を成し、且つ内部に連続するトンネル穴状の根道（２）を有するようにした筒状部材（１）に、根道（２）と繋がって植え込み部（３）を設ける。
本発明は、以上の構成より成る連続するトンネル穴状の根道を備えた菜園用栽培容器である。
【発明の効果】
【０００５】（イ）本体は概ね閉鎖型のトンネル穴構造のため内部は保湿性も通気性も格段によい。
（ロ）根はトンネル穴状の根道（２）に沿って横方向に延びるため根域が広がりやすい。
（ハ）浅型の容器となって、比較的軽量で、転倒せず、給水や施肥が容易であり、屋上やベランダで多数並べて簡単に家庭菜園が作れ、合わせて緑化や断熱にも役立つ。
（ニ）鎖に吊って多段栽培も楽しめる。
（ホ）持ち運びしやすく移動が容易である。
（ヘ）吸水芯や吸水コマを利用する水耕栽培や簡単な家庭稲作も楽しめる。
（ト）形状、形態が多様に作れる。
（チ）湿った空気が容器内を自在に流れるので根に対して酸素の供給が十分になされる。
（リ）内部は通気性が良いため腐敗が起こりにくい。
（ヌ）収穫後はカートリッジ方式で入れ換えるので栽培作業が効率的に行える。
（ル）植え込み部（３）では根に対する培地の圧が逃げるので根が張り易い。
【発明を実施するための最良の形態】
【０００６】  以下、本発明を実施するための最良の形態について［図１］を参照して説明する。
四角形状の枠を成し、且つ、内部に連続するトンネル穴状の根道（２）を有するようにした筒状部材（１）の各辺の適宜な個所に、根道（２）と繋がって、適宜な数、大きさ、状の植え込み穴（３）を設ける。
本発明は以上の構造である。
これを使用するときは、筒状部材（１）に腐葉土や腐植等固化しにくい用土を入れて後に植え込み部（３）に適当な野菜を植え込む。【０００７】本発明の他の実施例として、筒状部材（１）の枠の適宜な複数個所から筒状部材（１）を枠内へ分岐して延長し、相互に連続するトンネル穴状の根道（２）を形成するように繋ぎ、当該筒状部材（１）の適宜な個所に適宜な大きさ、数、形状の植え込み穴（３）を設ける。これにより、枠全体の強度が増し、根道（２）の容積が増えて栽培効率が良くなる。［図４］は本発明の他の実施例の外観斜視図である。【０００８】  本発明において筒状部材（１）の枠の形状は任意に決める。本発明において、分岐する場合、分岐個所、分岐数、分岐角度は任意で決める。本発明は適当な数の部品に分けて着脱式、或いは組み立て式にするのが望ましい。
【図面の簡単な説明】
【０００９】
【図１】本発明の全体斜視図
【図２】本発明の平面図
【図３】本発明のＡ−Ａ断面図
【図４】本発発明の他の実施例の全体斜視図。
【符号の説明】
【０００９】１  筒状部材
２  根道
３  植え込み部
４  給水・施肥穴
５  排水穴
【図１】
2012213374.tif 000003
【図２】
2012213374.tif 000004
【図３】
2012213374.tif 000005
【図４】
2012213374.tif 000006
(57)【要約】【課題】  カセットガスボンベを用いて、複数の熱発電モジュールに対して確実に均等に熱伝達を行い、かつ、熱損失を最小限に抑えて高効率な発電を行えるようにした熱発電装置を提供する。【解決手段】複数の熱発電モジュールの高温側面にそれぞれ熱伝導率の高いＬ型角銅板を圧接し、Ｌ型面と一体に熱伝達用ロッドを設け、対向側を燃焼室内で収束し、燃焼室内の熱伝達用ロッドをバーナーの火炎で加熱し各熱発電モジュールに均等に熱の伝達を行う。【選択図】図２
2012213307.tif 000002
【特許請求の範囲】
【請求項１】
熱発電モジュールを用いて発電する装置において、熱発電モジュールに高温を付与する方法として、カセットガスボンベの燃焼火炎を加熱源とする事を特徴としたガス燃焼式熱発電装置。
【請求項２】
熱発電モジュールに高温を付与する方法として、冷却体の片面に複数固定された熱発電モジュールの高温側にそれぞれＬ型角銅板を圧接し、Ｌ型角銅板と一体に接続された熱伝達用ロッドの対向側を集束して、集束部分を火炎にて加熱することで各熱発電モジュールに均等に熱を付与する事を特徴とした請求項１のガス燃焼式熱発電装置。
【発明の詳細な説明】
【技術分野】
【０００１】  本発明は、ガス燃焼式バーナーにより熱発電モジュールに高温、低温の温度差を与えその温度差により熱エネルギーを電気エネルギーに変換し、発電する技術に関するものである。
【背景技術】
【０００２】  従来、熱発電モジュールによる発電方法としては、高温媒体として排熱を熱発電モジュールの高温側に付与し発電する方法が一般的に周知されている。
また、ガスバーナーによる熱を熱発電モジュールに付与し発電する方法もある。【０００３】  いずれの方法も熱を熱発電モジュールに均等に付与する方法として、様々な工夫がなされているが、熱発電モジュールの個数が少ない場合は問題ない。しかし、個数が数十となってくると、全ての熱発電モジュールに均等に熱を付与することは至難となってくる。
【先行技術文献】
【特許文献】
【０００４】
【特許文献１】特開平１１−５５９７５
【特許文献２】特開２０１０−２００５２０
【特許文献３】特開２００９−２７３２７３
【０００５】  熱発電モジュールに熱を均等に付与できなければ、各熱発電モジュールによって起電力のバラツキが発生し、効率が低下する。
【発明の概要】
【発明が解決しようとする課題】
【０００６】  本発明では、各熱発電モジュールに対する熱の伝達不均等を解消し、確実に各熱発電モジュールに均等に熱を付与するとともに、熱の損失を防止し高効率な熱発電ができる熱発電装置を提供する。
【課題を解決するための手段】
【０００７】  本発明では、上記の問題を解決するために、複数の各熱発電モジュールの高温側と同面積で厚さ数ミリのＬ型角銅板を圧接し、Ｌ型の端面に熱伝達用ロッドを設ける。この熱伝達用ロッドの熱発電モジュール側の反対側を集束し、耐熱容器で覆って燃焼室とする。【０００８】  燃焼室下部よりバーナー火炎を放射し、集束した熱伝達ロッドを加熱する。また、熱発電モジュールの高温側を含め、熱伝達用ロッド全体を断熱保温材で密閉することにより、各熱発電モジュールに均等に熱を伝達でき、さらに、熱の損失を最小限に押えることで高効率な発電を行うことができる。
【発明の効果】
【０００９】  上述のように、本発明の熱発電モジュール均等加熱装置によって、高効率な発電が可能になり、カセットガスボンベによる携行型熱発電装置が可能になった。
また、エンジン発電機のような騒音もなく、使用時の排気もカセットガスコンロと同等なので、非常時には室内でも使用できるようになった。
【図面の簡単な説明】
【００１０】
【図１】  本発明の熱発電モジュールの均等加熱部平面図である。
【図２】  本発明の熱発電モジュールの均等加熱部側面図である。
【図３】  本発明の熱発電モジュールの銅板圧接部側面図である。
【図４】  本発明の全体ブロックダイヤである。
【発明を実施するための形態】
【００１１】  以下に図を参照しながら本発明の詳細を説明する。
【実施例】
【００１２】  図２は本発明の熱発電モジュール均等加熱部側面図である。
冷却体４に熱発電モジュール１を密接し、前記取付け面以外は断熱材７を張付、さらに、その上に断熱材押え板１０を張付け、断熱材押え板固定板を冷却体４の金具にビス止め固定する。【００１３】  Ｌ型角銅板２を熱発電モジュール１に取付け、圧接用金具１４を断熱材押え板１０に固定された圧接用板取付けボルト１１にスプリング１２と共に固定し、Ｌ型面と一体の熱伝達用ロッド１６を３の燃焼室に集束する。熱伝達用ロッド１６は丸棒でも角型ロッドでも良いが、本発明では集束したときに間隙なく集束できるように角型ロッドにしてある。集束部分は角型ロッドを密接し溶接してある。【００１４】  集束部分を溶接にて一体化することにより、熱伝達を均一に行う事ができる。また、熱伝達用角型ロッド２の長さにより熱伝導に多少の均等差が生じるため、本発明では角型ロッドの太さを変え調整してある。【００１５】  熱発電モジュール１の高温側、及び熱伝達ロッド１６の燃焼室までの部分は、全て断熱保温容器８にて密閉され、熱損失を最小限に抑えるようにしてある。
これにより、熱発電モジュールに均等に熱を付与する事ができるようになった。【００１５】  図４は本発明の全体ブロックダイヤである。
ガスボンベ１５に火炎調整弁１７を設け、圧電素子により着火された火炎は燃焼室３の熱伝達用角型ロッド１６を加熱し、熱は均等に熱発電モジュール１に付与され発電される。なお、冷却体４と熱発電モジュール部は一体である。【００１６】  発電された電圧はＤＣ電圧であるので、その一分を冷却用水冷ポンプ２１の電源とする。さらに、そのＤＣ電源は非常用としてＬＥＤ照明２６やラジオ２７の電源とすることができる。【００１７】  発電された主電源はインバーター回路２４に導入され、交流１００ボルトとして出力される。インバーター回路２４の出力後段にはリレー２５を設け、熱発電モジュール１が所定の電圧に達した後ＯＮになり出力される。
【符号の説明】
【００１８】  １  熱発電モジュール
２  Ｌ型角銅板
３  燃焼室
４  冷却体
５  吸水口
６  排水口
７  断熱材
８  断熱保温容器
９  排気口
１０  断熱材押え板
１１  熱発電モジュール圧接用ボルト
１２  スプリング
１３  ナット
１４  圧接用金具
１５  ガスボンベ
１６  熱伝達用角型ロッド
１７  火炎調整弁
１８  燃焼バーナー
１９  温度センサー
２０  火炎調整弁調節回路
２１  冷却用水冷ポンプ
２２  放熱器
２４  インバーター
２５  リレー接点
２６  ＬＥＤ照明
２７  ラジオ
２８  出力コンセント
【図１】
2012213307.tif 000003
【図２】
2012213307.tif 000004
【図３】
2012213307.tif 000005
【図４】
2012213307.tif 000006
(57)【要約】      （修正有）【課題】太陽光発電パネルによる発電を、降雨時にも行えるようにする。【解決手段】太陽光発電パネル１０１の表面に圧電素子１００を備え付けて、降雨時に雨粒がパネル表面と衝突するその圧力で発電する。圧電素子や電気を取り出す電極は、パネル表面に蒸着してもよい、圧電素子を薄くすることで、太陽光の透過も良くなる。【選択図】図１
2012109533.tif 000002
【特許請求の範囲】
【請求項１】
太陽光発電パネル表面に圧電素子を備え付けたパネル。
【発明の詳細な説明】
【技術分野】
【０００１】
本発明は、太陽光発電パネルに関する。
【発明の概要】
【発明が解決しようとする課題】
【０００２】
従来、太陽光発電パネルは、降雨時に雨で発電するよう設計されていない。
【発明の効果】
【０００３】
太陽光発電パネルの発電効率を向上させる。
【図面の簡単な説明】
【０００４】
【図１】本発明の断面図である。
【先行技術文献】
【特許文献】
【０００５】
なし
【実施例】
【０００６】
本発明は、屋根や地上にパネルを設置して、雨期に発電を行える。
【符号の説明】
【０００７】
１００  圧電素子
１０１  太陽光発電パネル
【図１】
2012109533.tif 000003
【手続補正書】
【提出日】平成23年11月28日(2011.11.28)
【手続補正１】
【補正対象書類名】明細書
【補正対象項目名】０００３
【補正方法】変更
【補正の内容】
【０００３】
屋根に設置する太陽光発電パネルの発電効率を向上させる。太陽光発電パネル表面に圧電素子を備え付けたパネルにより、降雨時に雨粒がパネル表面と衝突するその圧力で発電を行う。降雨は雲中から地上に落下するので、物理的エネルギーを落下により発生するからパネル表面とぶつかり起電力が発生するという仕組みである。
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
太陽光発電パネル表面に圧電素子を備え付けたパネルにより、降雨時に雨粒がパネル表面と衝突するその圧力で発電する方法
(57)【要約】【課題】既存の蛍光灯用照明装置を使用でき、かつ、光を一部分から集中して放出させることができるＬＥＤランプを提供する。【解決手段】本発明のＬＥＤランプ（ｌｉｇｈｔ−ｅｍｉｔｔｉｎｇ  ｄｉｏｄｅ）１には、円筒状のカバー２と、カバー２の両端に設けられ、照明装置のソケットに挿入される端子３を有する口金４とが設けられている。カバー２の内部には、断面がＶ字状をした基板５がカバー２の長手方向に設けられている。Ｖ字状をした基板５が向き合う面には、複数のＬＥＤ素子６が配置されている。【選択図】図１
2012109111.tif 000002
【特許請求の範囲】
【請求項１】
円筒状のカバーと、前記カバーの両端に設けられ、照明装置のソケットに挿入される端子を有する口金とが設けられたＬＥＤ（ｌｉｇｈｔ−ｅｍｉｔｔｉｎｇ  ｄｉｏｄｅ）ランプであって、
前記カバーの内部には、断面がＶ字状をした基板が前記カバーの長手方向に設けられており、
Ｖ字状をした前記基板が向き合う面に複数のＬＥＤ素子が配置されている、ＬＥＤランプ。
【請求項２】
前記ＬＥＤランプの内部に、前記端子から供給される交流電圧を直流電圧に変換し、そして基板に直流電圧を供給する変換回路が設けられている、請求項１に記載のＬＥＤランプ。
【発明の詳細な説明】
【技術分野】
【０００１】
本発明は、ＬＥＤ（ｌｉｇｈｔ−ｅｍｉｔｔｉｎｇ  ｄｉｏｄｅ）素子を光源とするＬＥＤランプに関する。
【背景技術】
【０００２】
現在幅広く利用されているランプである蛍光灯の代わりに、近年ＬＥＤ（ｌｉｇｈｔ−ｅｍｉｔｔｉｎｇ  ｄｉｏｄｅ）素子を光源とするＬＥＤランプが使用されるようになってきている。
【０００３】
既存の蛍光灯用の照明装置にそのまま使えるようにした蛍光灯型ＬＥＤランプが特許文献１などに示されている。関連技術の一例のＬＥＤランプは、蛍光灯と同じく円筒形状をしたカバーの内部に、矩形状の基板がカバーの長手方向に沿って配置されている。そして、基板には、ＬＥＤ素子が等間隔に複数配置されている。このようなＬＥＤランプと、交流電圧を直流電圧に変換する変換回路を有する変換ユニットとが、蛍光灯用照明装置のソケット同士の間に直列に配置されている。このようにすることで、既存の蛍光灯用照明装置にＬＥＤランプを使用することができる。
【先行技術文献】
【特許文献】
【０００４】
【特許文献１】特開２０１０−１９２２２４号公報
【発明の概要】
【発明が解決しようとする課題】
【０００５】
上述の特許文献１のＬＥＤランプでは、一般的な蛍光灯の代わりにはなるが、蛍光灯全体ではなく、蛍光灯のある一部分から集中して光を放出するようなアパーチュア蛍光灯の代わりにはならない。
【０００６】
本発明の目的は、光を一部分から集中して放出させることは困難である、といった課題を解決するＬＥＤランプを提供することである。
【課題を解決するための手段】
【０００７】
本発明のＬＥＤランプ（ｌｉｇｈｔ−ｅｍｉｔｔｉｎｇ  ｄｉｏｄｅ）には、円筒状のカバーと、カバーの両端に設けられ、照明装置のソケットに挿入される端子を有する口金とが設けられている。また、カバーの内部には、断面がＶ字状をした基板がカバーの長手方向に設けられており、Ｖ字状をした基板が向き合う面には、複数のＬＥＤ素子が配置されている。
【発明の効果】
【０００８】
本発明によれば、既存の蛍光灯用照明装置を使用でき、かつ、光を一部分から集中して放出させることができる。
【図面の簡単な説明】
【０００９】
【図１】本発明に係るＬＥＤランプの一実施形態の概略構成図であり、（ａ）はＬＥＤランプの断面の概略構成図、（ｂ）は（ａ）の矢印Ａの方向から見た概略構成図である。
【発明を実施するための形態】
【００１０】
以下に、添付の図面に基づき、本発明の実施の形態を説明する。なお、同一の機能を有する構成には添付図面中、同一の番号を付与し、その説明を省略することがある。
【００１１】
図１は、本発明に係るＬＥＤランプの一実施形態の概略構成図であり、（ａ）はＬＥＤランプの断面の概略構成図、（ｂ）は（ａ）の矢印Ａの方向から見た概略構成図である。なお、図１（ｂ）では、内部構造が分かるように、カバー２や口金４を一部省略している。
【００１２】
本発明のＬＥＤ（ｌｉｇｈｔ−ｅｍｉｔｔｉｎｇ  ｄｉｏｄｅ）ランプ１は、円筒状のカバー２の両端に、端子３を有する口金４が設けられている。端子３は、不図示の蛍光灯用照明装置にＬＥＤランプ１が取り付けられたときに、照明装置のソケットに差し込まれ、照明装置からソケットを介して電圧を供給されるとともに、ＬＥＤランプ１を照明装置内に保持する役割もある。
【００１３】
ＬＥＤランプ１の内部には、断面がＶ字状をした基板５がＬＥＤランプ１の長手方向に設けられている。そして、Ｖ字状の基板５の内側の面（基板５が向き合う面）に複数のＬＥＤ素子６が配置されている。このＬＥＤ素子６を基板５に配置する数を調整することで、ＬＥＤランプ１から発せられる光の明るさを調節することができる。
【００１４】
また、ＬＥＤランプ１の内部には、端子３から供給される交流電圧を直流電圧に変換して基板５に供給する不図示の変換回路が設けられている。なお、この変換回路は、ＬＥＤランプ１に設けるのではなく、照明装置に設けても構わず、また、変換回路を有する変換ユニットを構成し、照明装置のソケット同士の間に、ＬＥＤランプ１と変換ユニットとを直列に配置し、直流電圧をＬＥＤランプ１に供給するようにしても構わない。
【００１５】
以上のようにして構成されたＬＥＤランプ１は、Ｖ字状をした基板５の内側の面にＬＥＤ素子６を配置することにより、ＬＥＤランプ１から広範囲に光が発せられるのではなく、基板５で挟まれた部分からＬＥＤランプ１の外部に光を発することができる。また、ＬＥＤランプから広範囲に光を発するためには、特許文献１のように矩形状をした基板にＬＥＤ素子を配置することが好ましい。しかし、本発明のように、ＬＥＤランプ１のある一部分の狭い範囲から集中して光を発したい場合は、光を発したい部分にあわせて矩形状の基板を小さくするよりも、Ｖ字状の基板５を用いるほうが、多くのＬＥＤ素子６を基板５に配置することができるので、ＬＥＤランプ１のある一部分（ＬＥＤランプ１の基板５で挟まれている部分）から強い光を発することができる。
【００１６】
また、本発明のＬＥＤランプ１は、既存の蛍光灯用照明装置に使用することが可能なので、蛍光灯から本発明のＬＥＤランプ１への交換が容易であり、ＬＥＤランプ用の照明装置を新たに購入したり設置をしたりする必要がない。
【００１７】
なお、上述の説明では、いわゆる直管状のＬＥＤランプとして説明したが、本発明はこれに限定されず、環状であっても、それ以外の形状であっても、本発明を利用できれば、いずれであっても構わない。
【符号の説明】
【００１８】
１  ＬＥＤランプ
２  カバー
３  端子
４  口金
５  基板
６  ＬＥＤ素子
【図１】
2012109111.tif 000003
(57)【要約】【課題】        化学物質を用いないで、人体に有用な植物の機能性物質を生成する。【解決手段】    枯植物を水に浸し、水温を２０℃〜５０℃に保って、酸素が十分に供給されていると、枯植物に宿る枯草菌は旺盛な増殖力で植物の有機物を分解し、水中に多量の機能性物質が生成している液体をつくる。【選択図】図１
2012105626.tif 000002
【特許請求の範囲】
【請求項１】
枯植物が２０℃から５０℃の水中にあって、酸素が十分に供給されていると、枯植物に宿る枯草菌は、植物の有機物を旺盛な増殖力で分解しながら無機物とし、水中には電解質ができてイオンとなって電離するとともに、人体に有用な機能性物質が生成している液体ができる。食品原料の食材植物も枯植物であり、枯草菌が宿っている。
液体中の電解質と他の機能性物質は、枯草菌の増殖条件が満されていると、その生成量が多い。
この液体を精製して、栄養価に富んだ食品を製造することに用いる方法。
【発明の詳細な説明】
【技術分野】
【０００１】  本発明は、水中に枯植物（とりたて、つみたての植物を含む）を入れ、枯植物に宿る枯草菌が植物の有機物を分解しながら増殖して、水中に機能性物質が生成する現象を利用する技術に関する。
【背景技術】
【０００２】  特願２０１０−２１７８２９の発明の名称「枯草菌電池」で、本発明者は、枯植物を入れた水中では経時とともに枯草菌が増殖する過程で、増殖の栄養源としての枯植物中の有機物を分解し、生じた電解質が水中でイオンとなって電離しており、水中に正と負の電極を挿入すると、イオンの働きで発電するので、枯植物中の有機物が存在する限り、発電を続けることを示した。
【発明の開示】
【発明が解決しようとする課題】
【０００３】  枯草菌は食品の納豆にも含まれ、毒素の生産性や人体への寄生性がない安全な菌株である（学会出版センター発行「特異な機能を有する微生物とその応用」Ｐ５７山根國男著）ので、食品の原料となる食材植物にも宿る枯草菌によって、機能性物質が富んでいる食品をつくることを考えた。
枯植物に宿る枯草菌は増殖する時、枯草菌の一種である納豆菌と同じように、植物の有機物を分解して人体にとって優れた機能性物質を生成する。従って、多くの機能性物質を効率的に生成するために、枯草菌が増殖しやすい環境を保つことが課題である。
【課題を解決するための手段】
【０００４】  枯草菌は、枯植物が２０℃から５０℃の水中にあって、酸素が十分に供給されていることが、良好な増殖条件である。
枯草菌が増殖によって生成する機能性物質には電解質も含まれるので、機能性物質の生成量は、電解質を用いて推察できる。
電解質の生成は、枯植物が入っている水中に正と負の電極を挿入し、電圧と電流を計ることによって分かる。
時間の経過と機能性物質の生成効率を、食品の原料となる次の検体によって調べた。
１．米ヌカ  ２．小麦フスマ  ３．ソバ粉  ４．乾燥大豆  ５．ホウレン草
これらの検体（各２０ｇ）を図１のような水（水道水、水温３６℃）に入れて攪拌し、入れた直後と２４時間後に電圧と電流（電流は計器接続直後）を計測した。
計測値は、各３回試行した平均値である。【０００５】１．米ヌカ                        水浸直後      １．１３Ｖ      ８．０ｍＡ
２４時間後    １．０８Ｖ    １２．０ｍＡ
２．小麦フスマ                    水浸直後      １．０６Ｖ      ５．８ｍＡ
２４時間後  １．０５Ｖ    １４．０ｍＡ
３．ソバ粉                        水浸直後      １．１７Ｖ      ５．８ｍＡ
２４時間後    １．１７Ｖ    １９．０ｍＡ
４．乾燥大豆（粗い粒にする）      水浸直後      １．１０Ｖ      ３．８ｍＡ
２４時間後    １．１６Ｖ    ２３．０ｍＡ
５．ホウレン草（５ｍｍ位に細断）  水浸直後      １．０７Ｖ      １．８ｍＡ
２４時間後    １．１２Ｖ    １３．０ｍＡ【０００６】  経時で検体の水中での電流値が大きくなり、電解質が増加することが〔０００５〕で示されたことによって、他の機能性物質の増加も推察でき、枯草菌が良好な増殖環境に存在することが、課題を解決するための手段であることが分かった。
【発明の効果】
【０００７】  化学物質を関与させず、納豆菌によって栄養価に富む納豆ができるように、枯草菌の増殖作用のみで植物の機能性物質を生成できることが〔０００５〕によって示された。
この現象を食品の製造に用いられることを見出したのが、発明の効果である。
【発明を実施するための最良の形態】
【０００８】  枯草菌の増殖作用で生成増量した植物機能性物質が存在する液体を、枯草菌増殖の基になった植物名を付ける。
例えば、枯草菌増殖の基になった植物が米ヌカなら米ヌカ発酵液、小麦フスマなら小麦フスマ発酵液、ソバ粉ならソバ粉発酵液、乾燥大豆なら大豆発酵液、ホウレン草ならホウレン草発酵液、等々と名付ける。そして例えば、
１．うどん、きしめん等小麦を原料として乾麺をつくる時に使う水を、小麦フスマ発酵    液にすることにより、機能性物質分が多い乾麺ができる。
２．ソバの乾麺をつくるのに、ソバ粉発酵液を用いると、機能性物質分が多いソバの乾    麺ができる。
３．納豆の原料大豆を煮るのに、大豆発酵液を用いると、機能性物質分が豊かな納豆が    できる。
４．餃子の皮をつくる時、小麦粉のつなぎに小麦フスマ発酵液を用いると、機能性物質    分が多い餃子の皮ができる。
５．ソバつゆにソバ粉発酵液、ホウレン草発酵液を用いると、機能性物質分が多いソバ    つゆができる。
６．商品にならないクズ大豆で大豆発酵液をつくると、機能性物質分が豊かな大豆ジュ    ースができる。
以上のように、食品製造に使う水に枯草菌増殖によって機能性物質が増えた植物発酵液を用いることにより、栄養分が多い食品をつくることができる。
【図面の簡単な説明】
【０００９】
【図１】  枯植物を水中に入れ、枯植物に宿る枯草菌が植物の有機物を栄養源として増殖し、水中に電解質や機能性物質が生成していることを検証する装置の縦断面図。
【符号の説明】
【００１０】１    正極（炭素：φ５ｍｍ×１００ｍｍ長）
２    負極（亜鉛：φ５ｍｍ×１００ｍｍ長、又は巾５ｍｍ×厚１ｍｍ×１００ｍｍ長）
３    枯植物を入れた水
【図１】
2012105626.tif 000003
(57)【要約】      （修正有）【課題】新鮮なイカの風味と食感を損なわずに、従来にみられないイカの肝を味醂醤油に漬け込み、イカの生干しした物に吸わせて、濃厚な旨味のある生食加工品を提供する。【解決手段】イカの肝を洗浄し、味醂醤油を主体とした特製調味料に漬け込み、味の浸みたところで細切れにする。一方、皮むきしたイカの白身を陰干し、生乾きのまま小間切りにし、それを前記肝入りの特製調味料に漬け込む。肝及び身には塩分や他の調味料および薬味を添加しても良い。従来の塩辛と違い新鮮なイカの身と肝の甘味とトロミと食感を具えた特有な風味を味わうことが出来る。【選択図】なし【特許請求の範囲】
【請求項１】
皮むきしたイカの白身を陰干し、生乾きのまま切り込みを入れ、それをイカの肝を洗浄し、味醂醤油を主体とした特製調味料に漬け込み、味の浸みたところで細切れにして作成した特製調味料に漬け込むことを特徴とするイカの塩辛風甘露漬の製法。
【発明の詳細な説明】
【詳細な説明】
【産業上の利用分野】
【０００１】本考案は、イカを用いた塩辛風甘露漬の加工製品に関する。
【背景技術】
【０００２】イカの塩辛は、従来内臓（いわゆる肝）に塩分を添加して裏漉ししてからイカの切り身と共に発酵させ、食される。塩辛にした場合は、うまみを増加させることができるが、塩分が強すぎるため旨味より塩辛味が優先していた。
【解決しようとする課題】
【０００３】イカの塩辛は、従来から何処にでも有る伝統的な水産加工食品であるが、塩分が強すぎ、味の点では旨味より塩辛さの方が優先していた。また、最近の健康問題から来る減塩化の傾向からすると、塩分が過多となり勝ちで、塩辛好きの人でも沢山食することを控えなければならない傾向にあった。もちろん正統な調理加工法であり、塩分が多すぎるといっても食べる量を減らすなどコントロールをすれば健康への害はない。
そこで、本考案の目的は、イカと肝の風味と食感を損なうことなく、従来にみられない新しい加工食品を提供することにある。
【課題を解決するための手段】
【０００４】前記目的を達成するため、本考案に係る加工品は、イカの肝を良く洗い、醤油と味醂と白子蛋白及び調味料で作った特製調味料に漬け込み、肝に味が付いたところで、その肝を小口切りにし、その後戻して、また一緒にした肝入り特製調味料に、皮むきし陰干したイカの白身の筋を切る意味で縦方向に細長く千切りした物を漬け込み所定日数発酵させ、塩辛味の少ない甘味のある新しい加工食品を得る。イカを陰干しする事により、肝と調味料の旨味をイカにたっぷり染み込ませる事が出来るため、塩辛味を強くしなくても濃厚な味となる。
【作用】
【０００５】本考案に係る加工品によれば、肝を摺り込み裏漉しすることなく、小口切りにすることによって、生の肝に近い風味を持った新しい食感の塩辛を得る事が出来る。
イカの肝は、その量を適宜調整することができる。またイカの身は陰干しし生乾き状態で使用する。また肝には塩分を添加しない。その他に調味料を加えても良い。
【実施例】
【０００６】以下、添付図面に基づいて本考案の実施例を説明する。
図１は、本考案に係るイカの身の切り方を示すものである。
イカの身の方は水道水で良く洗い、生乾き状態に陰干しし、筋の有る方向と直角に筋切りする。
図２は、一盃のイカから取れる肝を使って仕込む場合の肝の切り方を示してある。このように特製調味料に漬け込んで味の付いた肝を、小口切りにする。それを再度特製調味料に戻し、イカの切り身を入れ、所定日数発酵させる。
また肝の方には法令で認められる食用防腐剤のほか、米麹や酒、ミリン等を添加しても良い。その他にもシソ，三つ葉、あさつき、しょうが、みょうが、長ネギ等の薬味を適宜加えても構わない。
加工後これを急速冷凍し、冷凍食品の扱いで出荷しても良い。そうすることにより当該加工食品の風味を損なうことなく長期間保持できる。食するときには、自然解凍または電子レンジ等による冷凍解除を行う。【０００７】塩分を使わず、また、裏漉しもしないため、肝のもつアクの強さが弱まり、食感はイカの塩辛風でありながら甘露漬風でもあるという新規な味覚体験を得る。【０００８】塩辛特有の味わいを微かに感じさせながら、塩分接種を最小限に抑えることが出来る。
かかる加工品の味わいは、塩辛（肝）の風味に慣れないひとにとっても馴染みやすい。
とくに子供や生もの加工品を嫌う外国人に対しても勧めやすく、肝の味を理解してもらう契機にもなる。【０００９】尚、本考案に係る加工品は、鮮度の良い生イカであるに越したことはないが、新鮮な内に冷凍後解凍した物でも十分である。
【考案の効果】
【００１０】以上説明したように本考案に係る生イカ加工法によれば、イカの肝の風味を損なうことなく、従来にみられない新しい生食製品を得ることが出来る。
【図面の簡単な説明】
【図１】本考案に係る陰干ししたイカの身を切断する時の切り方を示す図である。
【図２】本考案に係るイカの肝の小口切りの状況を示す図である。
【符号の説明】１  イカの身
２  イカの肝（内臓）
【図１】
2012105632.tif 000002
【図２】
2012105632.tif 000003
(57)【要約】      （修正有）【課題】電気走行に必要とする電気を作り出し、電気を自給自足しながら、電気自動車として独立した走行が出来る様にする。【解決手段】最初に蓄電池により走行用の電気モーター１を回転させ走行をする。この電気モーター１の回転を発電機モーターに同時に伝動させる。そのための走行用の電気モーター１本体の回転軸心棒２に、電気モーター１の回転を発電機モーターに伝動させるための回転リングとの回転リングを設ける。この回転リングと回転リングに回転を伝動させるための伝動ベルト掛けの溝とギヤ歯の溝を用いる。【選択図】図１
2012105519.tif 000002
【特許請求の範囲】
【請求項１】
電気自動車走行用の電気モーターの回転軸心棒（２）に、電気モーターの回転を発電機モーターに伝動し、発電機モーターを回転させるための回転伝動リングの（５）と（８）を設ける。
この（５）と（８）のリングに回転を伝動させるための伝動ベルト掛け溝と、ギヤ歯の溝（９）を用いる。
【発明の詳細な説明】
【技術分野】
【０００１】この発明はＨＶ車とＥＶ車の走行用の電気モーターに関するものです。
走行用の電気モーターの回転を発電機モーターに伝動して、電気を作り出します。
この電気を直ちに蓄電池に送り充電をする。
作り出した電気を再び蓄電池に送り、電気をロータリー方式で循環させて、電気自動車として独立走行させる方法です。
【背景技術】
【０００２】従来ＨＶ車ならば最初にガソリンエンジン等で走行する。そして、走行中に発電機モーター、又は、ダイナモ等を回転させて電気を作り出す。そして、蓄電池に電気を送り充電し、電気走行に必要な電気量に達すれば、エンジン走行から走行用の電気モーターを回転させて電気自動車として走行している。
この繰り返しでＨＶ車として走行している。
従来ＥＶ車ならば最初に蓄電池により走行用の電気モーターを回転させ走行している。
そして、電気量が不足すると蓄電池を取り替える。又は、充電をする。
この繰り返しでＥＶ車として走行している。
【先行技術文献】
【０００３】ＨＶ車ならば、燃料を使用する事により排気ガスを出している。
ＥＶ車ならば、蓄電池量がすぐに不足する。この為に蓄電池を取り替える。
又は、充電をしている。
【発明の概要】
【発明が解決しようとする課題】
【０００４】ＨＶ車では、エンジンと走行用の電気モーターとを併用して走行している。そのためにエンジンに使用する燃料が排気ガスを出している課題点がある。又は、燃料費も課題となる。
ＥＶ車では、蓄電池と走行用の電気モーターとを併用して走行している。そのためにすぐに電気不足になり、蓄電池を取り替える。又は、充電をする課題点がある。この様に蓄電池分量しか走行できない課題点もある。
ＨＶ車の排気ガスの課題点と、ＥＶ車のすぐに電気不足になる課題点がある。
【課題を解決させるための手段】
【０００５】本発明は、最初の走行は蓄電池により走行用の電気モーターを回転させ走行する。
それと同時に発電機モーターを回転させ電気を作り出す。この電気を再び蓄電池に送り充電をする。
この繰り返しで電気走行に必要とする電気を作り出し、電気を自給自足しながら、電気自動車として独立した走行が出来る様にする手段です。
【発明の効果】
【０００６】走行用電気モーターと発電機モーターの回転を同時回転にした事により、すぐに発電ができ、一時停止、又は、駐車中でも充電が可能になる。
発電機モーターと電気モーターの回転を同時回転にした事により、発電した電気量と消耗電気量が均等になり、走行中に電気不足にならない。
エンジン走行、又は、蓄電池の取り替えが不要になる。
電気自動車として、独立した走行が出来る。
【図面の簡単な説明】
【０００７】
【図１】走行用の電気モーター断面図
【図２】軸心棒（２）に、（５）と（８）のリングと（９）ベルト掛け溝を設けた詳細図
【発明を実施するための形態】
【０００８】最初に蓄電池により走行用の電気モーターを回転させ走行をする。この電気モーターの回転を発電機モーターに同時に伝動させる。そのための走行用の電気モーター（１）本体の回転軸心棒（２）に、電気モーターの回転を発電機モーターに伝動させるための回転リング（５）と（８）の回転リングを設ける。この（５）と（８）に回転を伝動させるための伝動ベルト掛けの溝とギヤ歯の溝（９）を用いる。
【符号の説明】
【０００９】（１）  電気モーター本体
（２）  回転軸心棒
（３）  中巻線コイル
（４）  外巻線コイル
（５）  フライオイル
（６）  クラッチ板
（７）  回転ベアリング
（８）  回転リング
（９）  伝動ベルト掛け溝とギヤ歯の溝
【図１】
2012105519.tif 000003
【図２】
2012105519.tif 000004